(57)【要約】【課題】      釣り用ケ−ス本体の取付部が衣服に強く接触することなく容易に移動出来るウエストベルト付き釣り用ケ−スを提供することである。【解決手段】  ウエストベルト１はベルト本体３の両端に止め具（バックル）１０、１１が夫々固定されている。  ベルト本体３の一側止め具１１側には紐からなる移動案内部４の一側４ａが縫着等でベルト本体３に固定され、紐からなる移動案内部４の他側４ｂはベルト本体３の長手方向の中程に縫着等で固定されている。  釣り用ケ−ス本体２は上方に開口を有し、その開口には蓋体１３が取り付けられ、釣り用ケ−ス本体２の背面には取付部５が固定されて取付部５は布製のベルトで、上下から折り返されて移動案内部４を跨いで重ねられ、重ねられた面はベルベット式ファスナ−等で止着されて移動案内部４の長手方向に移動自在に保持されている。【選択図】        図２
2004166698.tif 000002
【特許請求の範囲】
【請求項１】
ウエストベルト付き釣り用ケ−スにおいて、前記ウエストベルト付き釣り用ケースを装着したときに、前記ウエストベルトの長手方向に沿って身体の前側から体側を通って後ろ側に亘る移動案内部を設け、釣り用ケ−ス本体の取付部を前記移動案内部に移動自在に保持したことを特徴とするウエストベルト付き釣り用ケ−ス。
【請求項２】
移動案内部は紐状体であり、該紐状体に釣り用ケ−ス本体の取付部を移動自在に係合したことを特徴とする請求項１記載のウエストベルト付き釣り用ケ−ス。
【請求項３】
移動案内部は溝であり、釣り用ケ−ス本体に前記溝に係合する突部からなる取付部を設けたことを特徴とする請求項１記載のウエストベルト付き釣り用ケ−ス。
【請求項４】
移動案内部は長手方向の突部であり、釣り用ケ−ス本体に前記突部に係合する凹部からなる取付部を設けたことを特徴とする請求項１記載のウエストベルト付き釣り用ケ−ス。
【請求項５】
ウエストベルト付き釣り用ケ−スにおいて、ウエストベルトの長手方向の中間位置をＰとし、ウエストベルトの端部とＰの中間位置をＱとしたときに、前記ウエストベルトの長手方向に沿って前記ウエストベルトの一端側からＱを通ってＰ側に亘る移動案内部を設け、釣り用ケ−ス本体の取付部を前記移動案内部に移動自在に保持したことを特徴とするウエストベルト付き釣り用ケ−ス。
【請求項６】
移動案内部は紐状体であり、該紐状体に釣り用ケ−ス本体の取付部を移動自在に係合したことを特徴とする請求項５記載のウエストベルト付き釣り用ケ−ス。
【請求項７】
移動案内部は溝であり、釣り用ケ−ス本体に前記溝に係合する突部からなる取付部を設けたことを特徴とする請求項５記載のウエストベルト付き釣り用ケ−ス。
【請求項８】
移動案内部は長手方向の突部であり、釣り用ケ−ス本体に前記突部に係合する凹部からなる取付部を設けたことを特徴とする請求項５記載のウエストベルト付き釣り用ケ−ス。
【発明の詳細な説明】
【技術分野】
【０００１】
本発明は、ウエストベルト付き釣り用ケ−スの改良に関する。
【背景技術】
【０００２】
従来から釣りにはウエストベルト付き釣り用ケースが用いられ、特許文献１には、開閉可能な容体の背部に、一部をスナップ等により接合、分離可能としたバンド通しを取付けた釣用小物入れが示されている。
【０００３】
特許文献２には、身体に装着されるウエストベルトにベルト保持部で釣具収納ボックスを保持させたまま、その釣具収納ボックスを開いて釣具を取り出したり釣具を収納したりすることのできる釣具収納ボックスの携行具が示されている。
【０００４】
従来釣りで釣用小物入れや釣具収納ボックスが使用される時は、ズボンのベルトや衣服の上にウエストベルトが取り付けられてズボンのベルトやウエストベルトに特許文献１の釣用小物入れが取り付けられたり、特許文献２のように身体に装着されるウエストベルトにベルト保持部で釣具収納ボックスを保持させていた。
釣り場で身体に装着した釣用小物入れや釣具収納ボックスから物を取り出す時には、釣用小物入れや釣具収納ボックスを身体の前側に装着して使用し、それ以外の時は釣りの邪魔にならないように、釣用小物入れや釣具収納ボックスを身体の側部より後ろ側に装着していることが好ましい。
【０００５】
しかし、このように釣用小物入れや釣具収納ボックスを身体の前側に装着したり、後ろ側に装着したりするには、特許文献１の釣用小物入れではズボンのベルトに取り付けられているためズボンのベルト通しに釣用小物入れのバンド通し（取付部）がぶつかって移動出来なかった。
また、特許文献１の釣用小物入れを衣服の上にウエストベルトが取り付けられてこのウエストベルトに釣用小物入れが取り付けている時や特許文献２の身体に装着されるベルトにベルト保持部で釣具収納ボックスを保持させた時には、ウエストベルトごと回して衣服の上を移動させることは摩擦抵抗が大きく困難であり、ベルトをそのままに衣服の上を釣用小物入れや釣具収納ボックスを移動する場合でも衣服と、釣用小物入れに取り付けられたバンド通し（取付部）や釣具収納ボックスのベルト保持部（取付部）が摩擦して移動し難い欠点がありベルトを外して移動させていた。
【特許文献１】実開昭６３−１２２０８１号公報
【特許文献２】特開平１１−７５６５１号公報
【発明の開示】
【発明が解決しようとする課題】
【０００６】
本発明が解決しようとする課題は、釣用小物入れや釣具収納ボックスを身体の前側に装着したり、後ろ側に装着したりするには、特許文献１の釣用小物入れではズボンのベルトに取り付けられた時にはズボンのベルト通しに釣用小物入れのバンド通しがぶつかって移動出来ないことである。
また、特許文献１の釣用小物入れを衣服の上にウエストベルトが取り付けられてこのウエストベルトに釣用小物入れが取り付けられている時や特許文献２の身体に装着されるベルトにベルト保持部で釣具収納ボックスを保持させた時には、ベルトごと回して衣服の上を移動することは摩擦抵抗が大きく困難であり、ベルトをそのままに衣服の上を釣用小物入れや釣具収納ボックスを移動する場合でも衣服と、釣用小物入れに取り付けられたバンド通しや釣具収納ボックスのベルト保持部が摩擦して移動し難い欠点があることである。
【０００７】
本発明の目的は前記欠点に鑑み、釣り用ケ−ス本体の取付部が衣服に強く接触することなく釣り用ケ−スを容易にウエストベルトに沿って移動出来るウエストベルト付き釣り用ケ−スを提供することである。
【課題を解決するための手段】
【０００８】
上記課題を解決するために、
請求項１に係わる本発明は、ウエストベルト付き釣り用ケ−スにおいて、前記ウエストベルト付き釣り用ケースを装着したときに、前記ウエストベルトの長手方向に沿って身体の前側から体側を通って後ろ側に亘る移動案内部を設け、釣り用ケ−ス本体の取付部を前記移動案内部に移動自在に保持したことを要旨とするものである。
請求項２に係わる本発明は、移動案内部は紐状体であり、該紐状体に釣り用ケ−ス本体の取付部を移動自在に係合したことを要旨とするものである。
請求項３に係わる本発明は、移動案内部は溝であり、釣り用ケ−ス本体に前記溝に係合する突部からなる取付部を設けたことを要旨とするものである。
請求項４に係わる本発明は、移動案内部は長手方向の突部であり、釣り用ケ−ス本体に前記突部に係合する凹部からなる取付部を設けたことを要旨とするものである。
請求項５に係わる本発明は、ウエストベルト付き釣り用ケ−スにおいて、ウエストベルトの長手方向の中間位置をＰとし、ウエストベルトの端部とＰの中間位置をＱとしたときに、前記ウエストベルトの長手方向に沿って、前記ウエストベルトの一端側からＱを通ってＰ側に亘る移動案内部を設け、釣り用ケ−ス本体の取付部を前記移動案内部に移動自在に保持したことを要旨とするものである。
請求項６に係わる本発明は、移動案内部は紐状体であり、該紐状体に釣り用ケ−ス本体の取付部を移動自在に係合したことを要旨とするものである。
請求項７に係わる本発明は、移動案内部は溝であり、釣り用ケ−ス本体に前記溝に係合する突部からなる取付部を設けたことを要旨とするものである。
請求項８に係わる本発明は、移動案内部は長手方向の突部であり、釣り用ケ−ス本体に前記突部に係合する凹部からなる取付部を設けたことを要旨とするものである。
【発明の効果】
【０００９】
本発明により、ウエストベルトで釣人の腰に装着された釣り用ケ−ス本体を身体の前側と後ろ側に容易に移動することができ、釣り用ケ−ス本体の中から物を取り出す時には前側に移動し、釣竿操作を行う時は、後ろ側に移動することで釣りの操作の邪魔にならないようにすることができる。
【発明を実施するための最良の形態】
【００１０】
本発明により、ウエストベルト１が釣人の腰に装着される時は、長さが止め具１０と調整具１２やバンド１８で調整されて取り付けられ、移動案内部４、６ａ、６ｄ、６ｅ、８はウエストベルト１の止め具１１近傍からウエストベルト１の長手方向の中程（身体に取り付けたときは身体の前側から体側を通って後ろ側）に亘って設けられるので、釣り用ケ−ス本体２を身体の前側から後ろ側に移動することが出来る。
釣り用ケ−ス本体２の取付部５、７、９は移動案内部４、６ａ、６ｄ、６ｅ、８に取り付けられているためウエストベルト１の裏面（内側）に挟まれたり衣服等に強く接触したりしないから、釣り用ケ−ス本体２を容易に移動することができ、釣り用ケ−ス本体２の中から物を取り出す時には身体の後ろ側から前側に移動し、釣竿操作を行う時は、後ろ側に移動することで釣りの操作の邪魔にならないようにすることができる。
【００１１】
本発明においては、移動案内部４、６ａ、６ｄ、６ｅ、８は、ウエストベルト１の長手方向に沿って設けられ、釣り用ケ−ス本体２の取付部５、７、９が脱落しないように係合したまま、上記移動案内部に沿って移動可能になっている。
移動案内部は、ウエストベルト１に沿って連設された釣り用ケース本体２の取付部を移動自在に保持する係止部で、釣り用ケース本体２が取り付けられるようにウエストベルト１の外側に沿って設けられており、凸状部や凹状部等で形成され、本願の実施形態における孔、溝（凹状部）や紐状体やレ−ル部（凸状部）などが含まれる。
【００１２】
釣り用ケ−ス本体２の移動する身体の前側と後ろ側は、ウエストベルト１を釣人に止着した時の身体の腹側と背中側であり、およそ釣人が腕を下ろした時の腕の位置（体側）の前側と後側の領域がこれに該当する。
したがって釣り人が身体の前側で釣り用ケース本体２から物の出し入れが無理なくできるような位置と、釣りをしている時に釣り用ケース本体２が肘等に当たるなど腕の動きの邪魔になることのない位置であって、身体の真正面と真後ろに限定されない。
また、ウエストベルト１の止め具１０，１１を身体の正面（真正面）で止めると、ウエストベルト１の長手方向中間位置Ｐが背面（真後ろ）となり、さらにこの正面（ウエストベルト１の端部）と背面（Ｐの位置）の中間Ｑが体側に該当する位置となる。
【実施例１】
【００１３】
以下、図示の実施例によって本発明を説明すると、図１から図４は第１実施例で、図１の（ａ）はウエストベルト付き釣り用ケ−スの展開斜視図で（ｂ）は（ａ）図の左側の拡大斜視図で（ｃ）は（ａ）図の右側の拡大斜視図、図２はウエストベルトと要部を断面にした釣り用ケ−スの側面図、図３はウエストベルト付き釣り用ケ−スの斜視図、図４は釣り人がウエストベルト付き釣り用ケ−スを装着した正面図である。
【００１４】
ウエストベルト付き釣り用ケ−スはウエストベルト１に上方に開口を有する釣り用ケ−ス本体２を長手方向に移動自在に取り付けて構成されている。
ウエストベルト１はベルト本体３の両端に止め具（バックル）１０、１１が夫々取り付けられ、止め具１０、１１が互いに係脱自在に係合されて釣人の正面位置で止着されてウエストベルト１が図４のように釣人Ａの腰に装着される。
ベルト本体３の長さは、止め具１０と調整具１２で調整され、ウエストベルトの長さを少なくとも７０ｃｍから１００ｃｍ程度の長さに調節できるようになっている。
【００１５】
ベルト本体３の一側の止め具１１側には紐状体からなる移動案内部４の一側４ａが縫着等でベルト本体３の外側に取り付けられ、移動案内部４の他側４ｂはベルト本体３の外側の長手方向の中程に縫着等で取り付けられ、その一側４ａと他側４ｂの間はベルト本体３に止着されてない。
この移動案内部４はベルト状の扁平な紐で、合成樹脂繊維の織布からなりベルト本体３の外側に長手方向に沿って添設するようにしてその両側（一側４ａと他側４ｂ）が取り付けられている。
【００１６】
それぞれ一側４ａ、他側４ｂは、ベルト本体３が止め具１０，１１を身体の正面にして装着されたときにそれぞれ体側を挟んで身体の前側と後ろ側に位置する。
このウエストベルト１の長手方向の中間位置をＰとし、この長手方向の中間位置Ｐとウエストベルト１の端部１ａ、１ｂとの中間位置をＱ（Ｑ１、Ｑ２）とすると身体に装着したときにＱ（Ｑ１、Ｑ２）が体側位置となる。
したがって、この実施例において移動案内部４は、端部１ａ側（止め具１１側）に形成され、端部１ａ側（止め具１１側）からＱ１を通って中間位置Ｐの近傍にかけて設けられている。
【００１７】
釣り用ケ−ス本体２は上方に開口を有するように移動案内部４に移動可能に係合し、その開口には蓋体１３が釣り用ケース本体２の背面側に図示しないヒンジ部で保持され、係合チャック１４で開閉自在に閉じられている。
釣り用ケ−ス本体２の材料は、防水性を有していることが好ましい。
釣り用ケ−ス本体２の背面（ベルト本体３側）には図２のように取付部５が固定されている。
取付部５は、釣り用ケ−ス本体２を移動案内部４に取り付けるための係合部であり、第１実施例では布製のベルトで、上下から折り返されて紐状体からなる移動案内部４を跨いで重ねられ、重ねられた面はベルベット式ファスナ−等で互いに止着されている。
【００１８】
したがって取付部５は輪になっており、輪の中に移動案内部４が挿通されて釣り用ケース本体２が取り付けられているので、釣り用ケース本体２は、取付部５により移動案内部４に遊嵌され、釣り用ケ−ス本体２は移動案内部４の長手方向に移動自在に保持されている。
取付部５の内側に滑りがよい表面が平らな硬質の合成樹脂板を貼着したり、取付部５を合成樹脂板で形成したり、また、移動案内部４を合成樹脂で一体に形成したベルト状の扁平な紐状体として釣り用ケ−ス本体２の移動時の摩擦抵抗を低減してもよい。
移動案内部４がベルト状の扁平な紐状体であると、ウエストベルト１を身体に装着したときにその可撓性、柔軟性によりウエストベルト１に添設されるように変形し、移動案内部４の内側面とベルト本体３側の外側面が合わされて釣り用ケ−ス本体２の取付部５を移動可能に挟んで支えるため釣り用ケ−ス本体２は上記両者の合わされた面に沿って安定して移動させることができる。
移動案内部４のベルト状の紐状体がベルト本体３と同じか又はこれより幅が狭く形成されているため釣り用ケースを移動させる場合、釣り用ケ−ス本体２の取付部５は衣服に強く接触せず容易に移動できる。
【００１９】
釣り用ケ−ス本体２の側部の前方側にはそれぞれ上下に端部を止着した上下方向の取っ手１５が取り付けられて、この取っ手１５を握持して釣り用ケース本体２を移動させる。
取っ手１５は釣り用ケ−ス本体２の上記以外の位置に設けてもよく、布製のほか合成樹脂製や木製でもよい。
【００２０】
ウエストベルト１が釣人の腰に装着される時、ベルト本体３の長さが止め具１０と調整具１２で調整されて取り付けられ、紐状体からなる移動案内部４は正面の止め具１１の近傍から背面のベルト１の長手方向の中程に亘ってウエストベルト１の長手方向に沿って連続的に形成されるので、釣り用ケ−ス本体２を前側から体側を通って後ろ側に釣人の身体回わりに回して移動することが出来る。
【００２１】
前記のようにウエストベルト付き釣り用ケ−スが構成されると、釣り用ケ−ス本体２の取付部５は紐状体からなる移動案内部４に取り付けられて衣服への接触が防止されるから、釣り用ケ−ス本体２を容易に移動することができ、釣り用ケ−ス本体２の中から物を取り出す時には取っ手１５を引いて釣り用ケ−ス本体２を前側に移動し、釣竿操作を行う時は、釣り用ケ−ス本体２を押して後ろ側に移動することで釣りの操作の邪魔にならない。
【００２２】
第１実施例の移動案内部４は帯状の紐状体を図示したが、ウエストベルト１と同程度の幅を有するものも含み、また、ロープ状の断面が円形状の紐としてもよい。
紐状体は綿等の天然素材、合成樹脂、金属等の材料で形成され、ウエストベルト１を装着したときにこれに添設されるように柔軟性、可撓性を有しており、取付部５がスムーズに移動するように表面を滑らかに形成している。
移動案内部４は取付部５の移動を規制するような凸状を設けていないが、釣り用ケース１は、移動案内部４の前端側、又は、後端側に位置させて使用することが多いため、この位置においてその移動を規制する凸状部等のストッパを設けても良い。
【００２３】
釣り用ケース本体２の取付部５はウエストベルト１と紐状体の移動案内部４の間を移動するが、移動案内部４がウエストベルト１に沿って設けられており、身体に装着し、締め付けられるとウエストベルト１と移動案内部４が身体の形状に合致した形状で緊張状態となり衣服のようにしわにならないため、釣り用ケース本体２の取付部５の動きが阻害されにくくなりスムースに動かすことができる。
移動案内部４の両端のベルト本体３への固定は縫着等としたが接着、リベット止めなど他の方法で固定してもよいし、ベルベット式ファスナ−など着脱自在な止め具で止着してもよい。
ウエストベルト１の長さが調整可能な場合、ウエストベルトが一般に良く使用される長さである７０ｃｍから１００ｃｍのいずれかの長さにおいて移動案内部４が体側位置、またはＱ１、Ｑ２の位置を通るように形成されているものであればよい。
【００２４】
尚、第１実施例のウエストベルト付き釣り用ケ−スを用いて、移動案内部の前側端部の位置と後ろ側端部の位置を変えて釣り用ケース本体を移動させて、身体の前側に移動させたときの釣り用ケースの物の取り出し具合と、身体の後ろ側に移動させた時の釣り操作具合について調べた。
調査は、大きさ、縦７ｃｍ、横１６ｃｍ、高さ１６ｃｍで、取付具をウエストベルト側の面の横幅の中間位置に設けた上方に開口を有する釣り用ケ−ス本体の第１実施例のウエストベルト付き釣り用ケースを使用し、ウエストベルト両端の止め具は身体の正面（真正面）で止めて、ウエストベルトの長手方向中間位置Ｐを背面（真後ろ）に位置させ、さらに、この正面と背面の中間Ｑ（Ｑ１、Ｑ２）を体側に該当する位置として釣り人１０人が評価した。
この場合、釣り用ケース本体の取付部が移動案内部の前側端部と後ろ側端部に移動した状態で評価している。
【００２５】
その結果、身体の前側に移動させたときの釣り用ケースの物の取り出し具合について良好とした人は、移動案内部の前側端部の位置を体側（Ｑ１位置）から前側３ｃｍの場合０人、５ｃｍで０人、８ｃｍで６人、１０ｃｍで１０人、１５ｃｍで１０人、２５ｃｍの身体正面で１０人であった。
一方、身体の後ろ側に移動させたときの釣り用ケースに対する釣り操作の具合について良好とした人は、移動案内部の後ろ側端部の位置を体側から後ろ側３ｃｍの場合０人、５ｃｍで７人、８ｃｍで１０人、１０ｃｍで１０人、１５ｃｍで１０人、２５ｃｍの身体背面（真後ろ）で１０人であった。
【００２６】
したがって、移動案内部の前側端部の位置は、体側（Ｑ１位置）から前側８ｃｍ以上（好ましくは１０ｃｍ以上）とし、身体正面位置まで設けてもよく、移動案内部の後ろ側端部の位置は、体側（Ｑ１位置）から後ろ側５ｃｍ以上（好ましくは８ｃｍ以上）とし、身体背面位置まで設けてもよい。
さらに、このことから移動案内部４は、止め具１０の正面近傍からウエストベルト１の長手方向中間位置Ｐが位置する背面（真後ろ）を通って、止め具１０の反対側の止め具１１側の正面近傍まで延長して設けても良い。
【実施例２】
【００２７】
図５、図６は第２実施例で、図５の（ａ）はウエストベルト付き釣り用ケ−スの展開斜視図で（ｂ）は（ａ）図の左側（金具１７側）の拡大斜視図で（ｃ）は（ａ）図の右側（バンド１８側）の拡大斜視図、図６はウエストベルトと要部を断面にした釣り用ケ−スの側面図である。
【００２８】
第２実施例では、ウエストベルト１は硬質な合成樹脂材で形成されたベルト本体６の一端に縫着等で固定された布や皮革からなる連結部１６を介してバンド金具の止め具（バックル）１７が取り付けられ、他端に布や皮革からなるバンド１８が縫着等で固定されている。
バンド１８には止め具１７と係合する複数の係止用透孔１９が穿設され、係止用透孔１９が選択的に止め具１７に係合されてウエストベルト１の長さ調整がされている。
【００２９】
硬質な合成樹脂材で形成されたベルト本体６にはその外側に長手方向の横孔（溝）からなる移動案内部６ａがベルト本体６の外側に穿設されると共に、これと連通してベルト本体６の裏面に横孔からなる移動案内部６ａより幅広い長手方向の凹部６ｂが形成され、この移動案内部６ａの両端には下方に向けて凹部６ｃが形成されている。
ウエストベルト１は、その長さの中間位置Ｐにてベルト本体６とバンド１８が連結され、移動案内部６が止め具１７の近傍まで形成されているため長さ調整をしても移動案内部６はＱ１を通るように形成されている。
【００３０】
釣り用ケ−ス本体２の背面（ベルト本体６側）には図５のように取付部７が取り付けられている。
取付部７は合成樹脂材で断面凸字状の横孔からなる移動案内部６ａに嵌合される突部７ａと釣り用ケ−ス本体２への取付部分７ｂで形成され、移動案内部６ａに挿通されて突部７ａがこの横孔からなる移動案内部６ａにベルト６の裏面側の凹部６ｂ側で係合し抜け止めされている。
移動案内部６ａに取付部７の突部７ａが嵌合される時は、ベルト本体６にバンド１８が縫着等で固定される前に嵌合される。
他の構成は前記第１実施例と略同一である。
【００３１】
第２実施例でウエストベルト１が釣人の腰に装着される時、止め具（バンド金具）１７にバンド１８を通していずれかの係止用孔１９に止め具１７を係合し長さ調整をして取り付けられ、横孔からなる移動案内部６ａは正面の止め具１７近傍から背面のウエストベルト１の中程に亘って形成されるので、釣り用ケ−ス本体２を身体の前側（止め具１７側）から体側（Ｑ１の位置）を通って後ろ側（バンド１８側）に釣人の身体回わりに回して移動することが出来る。
【００３２】
取付部７の突部７ａはベルト本体６の裏面と面一か又は裏面側へ突出しないため衣服と強く接触することは少なく、また、滑面の材料で形成されているから摩擦抵抗を受けることが少ない。
移動案内部６ａの両端に下方に向けて形成された凹部６ｃに取付部７が入ると釣り用ケ−ス本体２の移動を規制し、身体の前側と後ろ側で係留することが出来て、釣り用ケース本体２から物を取り出すときと、釣り操作の邪魔にならない位置にして釣りを行っているときにおいて移動が規制され、釣り用ケース本体２をハンドル１５等を利用して手で動かすと取付部７は凹部６から脱出して釣り用ケース本体２を容易に動かすことができる。
【実施例３】
【００３３】
図７、図８は第３実施例で、図７の（ａ）はウエストベルト付き釣り用ケ−スの展開斜視図で（ｂ）は（ａ）図の左側の拡大斜視図、図８はウエストベルトと要部を断面にした釣り用ケ−スの側面図である。
【００３４】
第３実施例では、ウエストベルト１はゴムや合成樹脂材で形成されたベルト本体３の両端に止め具（バツクル）１０、１１が夫々固定され、止め具１０、１１が係脱自在に係合されることで釣人の正面で止着されてウエストベルト１が釣人の腰に装着される。
ベルト本体３の長さは、第１実施例と同様、止め具１０と調整具１２で調整される。
ベルト本体３の表面（外側）にはル−プ状で長手方向の突部からなる移動案内部８が固定され、その突部はループ状の一側がベルト本体３に止着されているため移動案内部８はベルト状になって釣り用ケース本体２が取付部９にて移動自在に保持されている。
ウエストベルト１の長手方向の中間位置をＰとし、このＰとウエストベルト１の端部１ａ、１ｂとの中間位置をＱ１、Ｑ２として移動案内部８はＱ１を通るように止め具１１側からＰの近傍にかけて設けられている。
【００３５】
移動案内部８は比較的硬質の帯紐や合成樹脂材で形成されている。
移動案内部８に取付部９で釣り用ケ−ス本体２の背面が取り付けられ、ウエストベルト１を身体に装着したときでも移動案内部８のウエストベルト１側に間隙を有した状態となっている。
移動案内部８は、可撓性を有しウエストベルト１と共に変形してもよいが、可撓性を有しなくても良い。
取付部９は硬質の合成樹脂材や金属材でＣ字形に形成されることで内側に凹部９ａが形成されている。
移動案内部８には取付部９の凹部９ａが上下から跨ぐように係合して抜け止めされ、移動案内部８に沿って長手方向に移動可能に取り付けられ、移動案内部８は取付部９が係合して移動するレ−ル部となっている。
他の構成は前記第１実施例と略同一である。
【００３６】
第３実施例でウエストベルト１が釣人の腰に装着される時、ベルト本体３の長さが止め具１０と調整具１２で調整されて取り付けられ、ル−プ状で長手方向の突部からなる移動案内部８は正面の止め具１１近傍から背面のウエストベルト１の中程に亘って設けられるので、釣人の腰に装着したときは釣り用ケ−ス本体２を身体の前側（止め具１１側）から体側（Ｑ１の位置）を通って後ろ側（Ｐ側）に移動させることが出来る。
釣り用ケ−ス本体２の取付部９はル−プ状で長手方向の突部からなる移動案内部８を跨いで取り付けられて衣服には接触していないから、釣り用ケ−ス本体２を容易に移動することができ、釣り用ケ−ス本体２の中から物を取り出す時には身体の前側に移動し、釣りの最中に釣竿操作を行う時は、後ろ側に移動することで釣りの操作の邪魔にならない。
【実施例４】
【００３７】
図９は第４実施例で、図９はウエストベルトと要部を断面にした釣り用ケ−スの側面図である。
【００３８】
第４実施例では、硬質な合成樹脂材で形成されたベルト本体６にはその外側に長手方向のアリ溝からなる移動案内部６ｄが穿設されている。
移動案内部６ｄには釣り用ケ−ス本体の取付部７のアリ溝状突部７ｃが移動自在に嵌合されている。
他の構成は前記第２実施例と略同一である。
【実施例５】
【００３９】
図１０は第５実施例で、図１０はウエストベルトと要部を断面にした釣り用ケ−スの側面図である。
【００４０】
第５実施例では、硬質な合成樹脂材で形成されたベルト本体６にはその外側に長手方向の角Ｃ字形溝からなる移動案内部６ａ、６ｅが穿設されている。
移動案内部６ａ、６ｅには釣り用ケ−ス本体の取付部７の角形突部７ａが移動自在に嵌合されている。
他の構成は前記第２実施例と略同一である。
【産業上の利用可能性】
【００４１】
本発明は、ウエストベルト付き釣り用ケースとして釣り全般に使用することができる。
【図面の簡単な説明】
【００４２】
【図１】第１実施例で、（ａ）はウエストベルト付き釣り用ケ−スの展開斜視図で（ｂ）は（ａ）図の左側の拡大斜視図で（ｃ）は（ａ）図の右側の拡大斜視図である。
【図２】同ウエストベルトと要部を断面にした釣り用ケ−スの側面図である。
【図３】同ウエストベルト付き釣り用ケ−スの斜視図である。
【図４】同釣り人がウエストベルト付き釣り用ケ−スを装着した正面図である。
【図５】第２実施例で、（ａ）はウエストベルト付き釣り用ケ−スの展開斜視図で（ｂ）は（ａ）図の左側の拡大斜視図で（ｃ）は（ａ）図の右側の拡大斜視図である。
【図６】同ウエストベルトと要部を断面にした釣り用ケ−スの側面図である。
【図７】第３実施例で、（ａ）はウエストベルト付き釣り用ケ−スの展開斜視図で（ｂ）は（ａ）図の左側の拡大斜視図である。
【図８】同ウエストベルトと要部を断面にした釣り用ケ−スの側面図である。
【図９】第４実施例で、ウエストベルトと要部を断面にした釣り用ケ−スの側面図である。
【図１０】第５実施例で、ウエストベルトと要部を断面にした釣り用ケ−スの側面図である。
【符号の説明】
【００４３】
１  ウエストベルト
２  釣り用ケ−ス本体
４、６ａ、６ｄ、６ｅ、８  移動案内部
５、７、９  取付部
７ａ、７ｃ  突部
９ａ  凹部
【図１】
2004166698.tif 000003
【図２】
2004166698.tif 000004
【図３】
2004166698.tif 000005
【図４】
2004166698.tif 000006
【図５】
2004166698.tif 000007
【図６】
2004166698.tif 000008
【図７】
2004166698.tif 000009
【図８】
2004166698.tif 000010
【図９】
2004166698.tif 000011
【図１０】
2004166698.tif 000012